(57)【要約】【課題】小型電子機器の操作性の簡単な入力装置を提供する。【解決手段】上面方向に第一のベゼルと、第一のベゼルの位置を押圧することで選択可能な第一のスイッチ群を配し、側面方向に第二のベゼルと、第二のベゼルの位置を押圧することで選択可能な第二のスイッチ群を配することにより、ベゼルの位置を押圧することによって直接選択可能なスイッチの数は、第一のスイッチ群の数と第二のスイッチ群の数を足した数になる。即ち、ひとつの小型電子機器が二組の、ベゼルとベゼルの位置を押圧することで選択可能なのスイッチ群を有することで直接選択可能なスイッチの数を増やすことが出来る。【選択図】      図１
2004227922.tif 000002
【特許請求の範囲】
【請求項１】
支持体と、
前記支持体の外周に支持される第一のベゼルと第二のベゼルと、
前記第一のベゼルを押圧することにより選択される第一のスイッチ群と、
前記第二のベゼルを押圧することにより選択される第二のスイッチ群を有し、
前記第一のベゼルと前記第二のベゼルは断面的に異なる角度または位置に配置した事を特徴とする入力装置。
【請求項２】
前記第一のベゼルは複数個に分割されていることを特徴とする請求項１に記載の入力装置。
【請求項３】
前記第二のベゼルは複数個に分割されていることを特徴とする請求項１または請求項２に記載の入力装置。
【請求項４】
前記第一のベゼルまたは前記第二のベゼルは円環状であり、支持体に回転可能に支持されていることを特徴とする請求項１、請求項２または請求項３に記載の入力装置。
【発明の詳細な説明】
【０００１】
【発明の属する技術分野】
本発明は、携帯機器の入力装置、例えば電子時計に設けられるスイッチ構造に関するものである。
【０００２】
【従来の技術】
従来の電子腕時計における入力スイッチは、腕時計外装の側面に３個または４個のプッシュ式スイッチを配置するものが一般的であったが、腕時計が情報機器端末として使用されるようになるにしたがって多数の文字や数字を入力することが要求されるようになってきた。
ところが、上述した様にたかだか３個または４個のスイッチで多くの文字や数字を入力するためにはスイッチを組み合わせて文字または数字を決定しなければならないため、文字や数字の入力の操作は非常に複雑なものになっていた。
このような入力の複雑さの解決するため、ベゼルを回転させることにより文字を選択し、決定スイッチを押圧して所定の文字または数字を入力する方法（例えば特許文献１参照）、ベゼル上に十数個のプッシュスイッチを配置し、これを押圧することにより対応する文字または数字を入力する方法（例えば特許文献２）などが提案されている。
【０００３】
【特許文献１】
特開２０００−２０７０９６号公報（第３頁、第２図）
【特許文献２】
特開平１０−９０４４２号公報（第３−５頁、第１図）
【０００４】
【発明が解決しようとする課題】
しかしながら、上述したベゼルを回転させて文字または数字を選択する方法は、一文字入力するためにいちいちベゼルを回転させて所定の文字を選択して決定スイッチを押圧するため、複数の文字または数字を入力するためには何度もベゼルを回さなければならない、といった煩雑さがあり、また、ベゼル上に十数個のプッシュスイッチを配置する方法は、腕時計のような小型機器においてはスイッチ間隔は非常に狭くなるため、所望のスイッチを選択して押した場合でも隣のスイッチが押されてしまうような誤入力が多くなる、といった利便性に欠けたところがあった。
【０００５】
本発明は、以上の課題を解決するためになされたもので、文字は直接その文字を指示したベゼルの一端を押せば入力可能であり、複数のベゼルを有することで直接入力可能な文字数を増やす、という入力の利便性を図った携帯機器の入力装置を提供することを目的とする。
【０００６】
【課題を解決するための手段】
以上の課題を解決するために、本発明は、
支持体と、
前記支持体の外周に支持される第一のベゼルと第二のベゼルと、
前記第一のベゼルを押圧することにより選択される第一のスイッチ群と、
前記第二のベゼルを押圧することにより選択される第二のスイッチ群を有し、
前記第一のベゼルと前記第二のベゼルは断面的に異なる角度または位置に配置した事を特徴とする。
【０００７】
【発明の実施の形態】
以下、図面を参照にして本発明の実施形態について説明する。図１は本発明の一実施形態である腕時計型電子機器１００の斜視図である。同図において１０１は支持体である。１０２及び１０３は二体に分割した第一のベゼルである上面ベゼル上及び上面ベゼル下である。１０４及び１０５は二体に分割した第二のベゼルである側面ベゼル右及び側面ベゼル左である。１０６は時刻や情報等を表示するためのＬＣＤである。また、１０７ａ及び１０７ｂは二体に分割した上面ベゼル上１０２と上面ベゼル下１０３をつなぐ弾性的な接続部であり、１０８は二体に分割した側面ベゼル右１０４と側面ベゼル左１０５をつなぐ弾性的な接続部である。
【０００８】
図２は、腕時計型電子機器１００の斜視図で、支持体１０１と上面ベゼル上１０２及び支持体１０１と上面ベゼル下１０３の間に配置されたスイッチ群２０１と、支持体１０１と側面ベゼル右１０４及び支持体１０１と側面ベゼル左１０５の間に配置されたスイッチ群２０２を点線で表している。
【０００９】
図３は腕時計型電子機器１００の上面図で、図２と同様に支持体１０１と上面ベゼル上１０２及び支持体１０１と上面ベゼル下１０３の間に配置されたスイッチ群２０１を点線で表している。このうち支持体１０１と上面ベゼル下１０３の間に配置されたスイッチ群２０１の各スイッチは今後の説明のため、２０１ａ、２０１ｂ、２０１ｃとアルファベットの通し記号を付加して表してある。また、スイッチ２０１ａ、２０１ｂ、２０１ｃの各スイッチに対応する上面ベゼル下１０３の位置は同図の上面ベゼル下１０３に記された４、６、８であり、今後の説明においては位置４、位置６、位置８と記述する。
【００１０】
図４は腕時計型電子機器１００の側面から見た模式的な断面図であり、本発明と関係がない腕時計バンドは省略してある。
図５はスイッチ２０１ｂに対応する位置６を押圧した場合の側面から見た模式的な断面図である。
【００１１】
図３、図４、図５を用いて、スイッチ２０１ｂに対応する位置６を押圧した場合について説明する。スイッチ２０１ｂに対応する位置６を押圧した場合、上面ベゼル下１０３が下がりスイッチ２０１ｂが選択される。この時、上面ベゼル下１０３は接合部１０７ａ及び接合部１０７ｂで支えられるため、スイッチ２０１ａ、スイッチ２０１ｃの沈み量は接合部１０７ａと接合部１０７ｂを結ぶ直線からの距離に比例した量となる。今、スイッチ２０１ｂの、接合部１０７ａと接合部１０７ｂを結ぶ直線からの距離をＬ１、スイッチ２０１ａの、接合部１０７ａと接合部１０７ｂを結ぶ直線からの距離をＬ２とする。例えば、Ｌ１＝（Ｌ２）×２とするとスイッチ２０１ａ、スイッチ２０１ｃの沈み量はスイッチ２０１ｂの沈み量の１／２となり、半押し状態となるがこの程度の押され方はスイッチ２０１ａ、スイッチ２０１ｃを非選択状態に保つのに十分なマージンであるため、スイッチ２０１ａ、スイッチ２０１ｃは入らない。
【００１２】
次にスイッチ２０１ａに対応する位置４を押圧した場合について説明する。図６は腕時計型電子機器１００の正面から見た模式的な断面図であり、本発明と関係がない腕時計バンドは省略してある。
図７はスイッチ２０１ａに対応する位置４を押圧した場合の正面から見た模式的な断面図であり、図８はスイッチ２０１ａに対応する位置４を押圧した場合の側面から見た模式的な断面図である。
【００１３】
スイッチ２０１ａに対応する位置４を押圧した場合、上面ベゼル下１０３が下がりスイッチ２０１ａが選択される。この時、上面ベゼル下１０３において位置８の側は接合部１０７ｂで支えられるため、スイッチ２０１ｂの沈み量は接合部１０７ｂとスイッチ２０１ｃを結ぶ直線からの距離に比例した量となる。今、スイッチ２０１ａの、接合部１０７ｂとスイッチ２０１ｃを結ぶ直線からの距離をＬ３、スイッチ２０１ｂの、接合部１０７ｂとスイッチ２０１ｃを結ぶ直線からの距離をＬ４とする。例えば、Ｌ３＝（Ｌ４）×２とするとスイッチ２０１ｂの沈み量はスイッチ２０１ａの沈み量の１／２となり、半押し状態となるがこの程度の押され方はスイッチ２０１ｂを非選択状態に保つのに十分なマージンであるため、スイッチ２０１ｂは入らない。
【００１４】
上記の様に、上面ベゼル下１０３の位置を押圧することによって選択されるスイッチはただひとつに限られる。同様に、上面ベゼル上１０２の位置を押圧することによって選択されるスイッチもただひとつに限られる。
【００１５】
続いて、側面ベゼル右１０４を押圧した場合について説明する。
図９は腕時計型電子機器１００の上面ベゼル上１０２及び上面ベゼル下１０３よりも内側の模式的な上面図で、本発明と関係がない腕時計バンドは省略してある。２０２は支持体１０１と側面ベゼル右１０４、及び支持体１０１と側面ベゼル左１０５の間に配置されたスイッチ群である。このうち支持体１０１と側面ベゼル右１０４の間に配置されたスイッチ群２０２の各スイッチは今後の説明のため、２０２ａ、２０２ｂ、２０２ｃとアルファベットの通し記号を付加して表してある。また、スイッチ２０２ａ、２０２ｂ、２０２ｃの各スイッチに対応する側面ベゼル右１０４の位置は同図の側面ベゼル右１０４の近傍に記された１、３、５であり、今後の説明においては位置１、位置３、位置５と記述する。
【００１６】
図１０は、スイッチ２０２ｂに対応する側面ベゼル右１０４の位置３を押圧した場合の模式的な上面図であり、図１１は、スイッチ２０２ｃに対応する側面ベゼル右１０４の位置５を押圧した場合の模式的な上面図である。
【００１７】
図９、図１０を用いて、スイッチ２０２ｂに対応する位置３を押圧した場合について説明する。スイッチ２０２ｂに対応する位置３を押圧した場合、側面ベゼル右１０４が押されスイッチ２０２ｂが選択される。この時、側面ベゼル右１０４の移動方向はスイッチ２０２ａ及びスイッチ２０２ｃの押圧方向に対して直交しているため、スイッチ２０２ａ及びスイッチ２０２ｃが選択されることはない。
【００１８】
次に図９、図１１を用いて、スイッチ２０２ｃに対応する位置５を押圧した場合について説明する。スイッチ２０２ｃに対応する位置５を押圧した場合、側面ベゼル右１０４が押されスイッチ２０２ｃが選択される。この時、側面ベゼル右１０４の移動方向はスイッチ２０２ａの押圧方向とは反対であるためスイッチ２０２ａが選択されることはない。
また、側面ベゼル右１０４の移動方向はスイッチ２０２ｂの押圧方向に対して直交しているため、スイッチ２０２ｂも選択されることはない。
【００１９】
上記の様に、側面ベゼル右１０４の位置を押圧することによって選択されるスイッチはただひとつに限られる。同様に、側面ベゼル左１０５の位置を押圧することによって選択されるスイッチもただひとつに限られる。
【００２０】
本実施形態においては、第一のベゼルである上面ベゼル上１０２及び上面ベゼル下１０３と、第二のベゼルである側面ベゼル右１０４及び側面ベゼル１０５の断面的に異なる角度は９０度としたが、例えば３０度、４５度または６０度などでも良い。
【００２１】
また、本実施形態においては、第一のベゼルと第二のベゼルは断面的に異なる角度で説明したが、第一のベゼルと第二のベゼルは断面的に異なる位置、例えば角度は同じだが段差を設けて配置する、などでも良い。
【００２２】
尚、本実施形態においては角型の腕時計型電子機器であるためベゼルの形状も角型であり回転させることができないが、図１２に示すように丸型の腕時計型電子機器５００において、回転可能なリング状の第一のベゼルである上面回転ベゼル５０２と、回転可能なリング状の第二のベゼルである側面回転ベゼル５０３を配することが可能である。同図において５０１は支持体、５０６は時刻や情報等を表示するためのＬＣＤである。
【００２３】
【発明の効果】
以上説明したように、本発明によれば、複数のスイッチ群に対応する複数のベゼルを配置することにより、直接選択可能なスイッチを増やすことが出来る、という効果がある。これは腕時計型電子機器のように、一面上に配するスイッチの数に制限がある場合には特に有効である。
【図面の簡単な説明】
【図１】本発明の一実施形態である腕時計型の電子機器の斜視図である。
【図２】前記腕時計型電子機器の斜視図で、スイッチ群を点線で記する。
【図３】前記腕時計型電子機器の上面図で、スイッチ群を点線で記する。
【図４】前記腕時計型電子機器の側面から見た模式的な断面図である。
【図５】前記腕時計型電子機器の側面から見た模式的な断面図で、上面ベゼルの位置が押圧されたところである。
【図６】前記腕時計型電子機器の正面から見た模式的な断面図である。
【図７】前記腕時計型電子機器の正面から見た模式的な断面図で、上面ベゼルの位置が押圧されたところである。
【図８】前記腕時計型電子機器の側面から見た模式的な断面図で、上面ベゼルの位置が押圧されたところである。
【図９】前記腕時計型電子機器の上面ベゼルより内側の模式的な上面図である。
【図１０】前記腕時計型電子機器の上面ベゼルより内側の模式的な上面図で、側面ベゼルの位置が押圧されたところである。
【図１１】前記腕時計型電子機器の上面ベゼルより内側の模式的な上面図で、側面ベゼルの位置が押圧されたところである。
【図１２】回転可能な上面回転ベゼルと回転可能な側面回転ベゼルを有する腕時計型の電子機器の斜視図である。
【符号の説明】
１０１  支持体
１０２  上面ベゼル上
１０３  上面ベゼル下
１０４  側面ベゼル右
１０５  側面ベゼル左
１０６  ＬＣＤ
１０７ａ、１０７ｂ  接合部
１０８  接合部
２０１、２０２  スイッチ群
５０１  支持体
５０２  上面回転ベゼル
５０３  側面回転ベゼル
５０６  ＬＣＤ
【図１】
2004227922.tif 000003
【図２】
2004227922.tif 000004
【図３】
2004227922.tif 000005
【図４】
2004227922.tif 000006
【図５】
2004227922.tif 000007
【図６】
2004227922.tif 000008
【図７】
2004227922.tif 000009
【図８】
2004227922.tif 000010
【図９】
2004227922.tif 000011
【図１０】
2004227922.tif 000012
【図１１】
2004227922.tif 000013
【図１２】
2004227922.tif 000014